(57)【要約】【課題】  着信待ち受け状態の画面表示による利便性を維持しつつ、シャッターチャンスを逃すことなく撮影可能にする。【解決手段】第１制御部はステップＡ２０１〜Ａ２０８の処理を実行し、第２制御部はステップＢ２０１〜Ｓ２０６する。すなわち、第１制御部は、画像表示エリアにカメラエリア等が設定された待ち受け画面を表示部に表示させる（ステップＡ２０１）。他方、第２制御部は、撮像デバイスを起動してモニタリングを開始し（ステップＢ２０１）、被写体画像を前記カメラエリアに画面表示する（ステップＢ２０２）。ステップＢ２０４で撮影指示が検出されると、その時点で画像データを保存する（ステップＢ２０５）。したがって、ユーザは待ち受け状態において表示部のカメラエリアに常時表示されている被写体画像を見て、シャッターチャンスと意識した時点の画像を保存することができる。【選択図】    図７
2006041646.tif 000002
【特許請求の範囲】
【請求項１】
表示手段と、
当該機器への着信を検出する着信検出手段と、
この着信検出手段が着信を検出するまでの間、前記表示手段に表示される内容を設定する設定手段と、
撮像手段と、
前記表示手段の第１の領域に前記設定手段によって設定された内容を表示させるとともに、第２の領域に前記撮像手段が常時取り込んだ前記画像を表示させる表示制御手段と、
前記第２の領域に表示されている画像の記録を指示する指示手段と、
この指示手段により指示された画像を記録する記録手段と
を備えることを特徴とする撮像機器。
【請求項２】
前記表示手段における第１及び第２の領域の位置及び大きさを設定変更する表示領域制御手段をさらに備えることを特徴とする請求項１記載の撮像機器。
【請求項３】
前記着信検出手段により着信を検出した場合、前記第２の領域への前記画像の表示を停止させるべきか否かを判断する判断手段をさらに備え、
前記表示制御手段は、前記判断手段の判断結果に応じて前記画像の表示を停止させることを特徴とする請求項１または２に記載の撮像機器。
【請求項４】
表示部と、無線通信部と、撮像部と、記録部とを備えた電子機器における撮像制御方法であって、
この無線通信部による着信を検出する着信検出ステップと、
この着信検出ステップにて着信を検出するまでの間、前記表示部に表示される内容を設定する設定ステップと、
前記表示部の第１の領域に前記設定ステップにて設定された内容を表示させるとともに、第２の領域に前記撮像部にて常時取り込んだ画像を表示させる表示制御ステップと、
前記第２の領域に表示されている画像の前記記録部への記録を指示する指示ステップと、
この指示ステップにて指示された画像を前記記録部へ記録させる記録ステップと
からなることを特徴とする撮像制御方法。
【請求項５】
表示部と、無線通信部と、撮像部と、記録部とを備えた電子機器が有するコンピュータを、
この無線通信部による着信を検出する着信検出手段と、
この着信検出手段によって着信を検出するまでの間、前記表示部に表示される内容を設定する設定手段と、
前記表示部の第１の領域に前記設定手段によって設定された内容を表示させるとともに、第２の領域に前記撮像部にて常時取り込んだ画像を表示させる表示制御手段と、
前記第２の領域に表示されている画像の前記記録部への記録を指示する指示手段と、
この指示手段によって指示された画像を前記記録部へ記録させる記録手段と
して機能させることを特徴とする撮像制御プログラム。
【発明の詳細な説明】
【技術分野】
【０００１】
本発明は、外部との無線通信機能を備える撮像機器、撮像制御方法及び撮像制御プログラムに関する。
【背景技術】
【０００２】
今日においては、カメラ付携帯電話等、外部との無線通信機能と撮像機能とを併有する電子機器が出現するに至っている。このような電子機器は、機器本体の上部に回転自在なカメラを備え、このカメラを回転させると、ニュートラルな状態が設定される。このニュートラルな状態においては、カメラのレンズ部が取得する画像が表示部に表示されるとともに、ニュートラルな状態から静止画モード、ＴＶ電話モード等直ちに変更することが可能となる。そして、この状態でシャッターボタンが押下されると、静止画モードへのモード変更がなされて、シャッターボタンが押下された時点でレンズ部により取得された画像が、静止画としてメモリに格納される（例えば、特許文献１参照。）。
【特許文献１】特開２００３−３２７４４号公報
【発明の開示】
【発明が解決しようとする課題】
【０００３】
しかしながら、係る電子機器においては、前述のようにシャッターボタンを押下してレンズ部により取得された画像をメモリに記憶させるためには、予めカメラを回転させてニュートラルな状態を設定しなければならない。このため、この間に撮影しようとする被写体に変化が生じて、シャッターチャンスを逃してしまう場合がある。
【０００４】
また、このような電子機器においては、着信待ち受け状態にある場合には、表示部にカレンダーや通信に関連する情報等を有する着信待ち受け画面を表示させて、ユーザの利便性を図っているが、カメラを起動させた状態においては、表示部にレンズ部により取得された画像のみを表示させることから、ユーザにおいてカレンダーや各種情報等を視認することが不可能となって利便性が低下してしまう。
【０００５】
本発明はこのような問題点に鑑みてなされたものであり、着信待ち受け状態の画面表示による利便性を維持しつつ、シャッターチャンスを逃すことなく撮影可能な撮像機器、撮像制御方法、及び、撮像制御プログラムを提供することを目的とする。
【課題を解決するための手段】
【０００６】
前記課題を解決するため請求項１記載の発明に係る撮像機器にあっては、表示手段と、当該機器への着信を検出する着信検出手段と、この着信検出手段が着信を検出するまでの間、前記表示手段に表示される内容を設定する設定手段と、撮像手段と、前記表示手段の第１の領域に前記設定手段によって設定された内容を表示させるとともに、第２の領域に前記撮像手段が常時取り込んだ前記画像を表示させる表示制御手段と、前記第２の領域に表示されている画像の記録を指示する指示手段と、この指示手段により指示された画像を記録する記録手段とを備える。
【０００７】
したがって、表示手段の第１の領域には、着信検出手段が着信を検出するまでの間、例えばカレンダーを含む着信待ち受け状態にある場合における画面が表示され、第２の領域には、撮像手段により取り込まれた被写体画像が常時表示される。よって、ユーザは待ち受け状態において第２の領域に常時表示されている被写体画像を見て、シャッターチャンスと意識した時点で操作のみを行えば、シャッターチャンスを逃すことなく、シャッターチャンスと意識した時点の画像を記録させることができる。しかも、表示手段には被写体画像のみならず、カレンダー等の着信待ち受け状態にある場合における画面も表示されていることから、着信待ち受け状態の画面表示による利便性を維持しつつ、シャッターチャンスを逃すことなく撮影を行うことができる。
【０００８】
また、請求項２記載の発明に係る撮像機器にあっては、前記表示手段における第１及び第２の領域の位置及び大きさを設定変更する表示領域制御手段をさらに備える。したがって、ユーザにおいて表示手段における第１及び第２の領域の位置及び大きさを設定変更することができる。
【０００９】
また、請求項３記載の発明に係る撮像機器にあっては、前記着信検出手段により着信を検出した場合、前記第２の領域への前記画像の表示を停止させるべきか否かを判断する判断手段をさらに備え、前記表示制御手段は、前記判断手段の判断結果に応じて前記画像の表示を停止させる。つまり、この携帯機器における通信手段には、音声着信のみならずメール着信等も想定されるが、着信がいずれであるかに応じて画像の表示を停止させるべきか否かを判断することにより、着信後に無用となる画像の表示を回避することができる。
【００１０】
また、請求項４記載の発明にあっては、表示部と、無線通信部と、撮像部と、記録部とを備えた電子機器における撮像制御方法であって、この無線通信部による着信を検出する着信検出ステップと、この着信検出ステップにて着信を検出するまでの間、前記表示部に表示される内容を設定する設定ステップと、前記表示部の第１の領域に前記設定ステップにて設定された内容を表示させるとともに、第２の領域に前記撮像部にて常時取り込んだ画像を表示させる表示制御ステップと、前記第２の領域に表示されている画像の前記記録部への記録を指示する指示ステップと、この指示ステップにて指示された画像を前記記録部へ記録させる記録ステップとからなる。したがって、記載したステップに従って処理を実行することにより、請求項１記載の発明と同様の作用効果を奏する。
【００１１】
また、請求項５記載の発明に係る撮像制御プログラムにあっては、表示部と、無線通信部と、撮像部と、記録部とを備えた電子機器が有するコンピュータを、この無線通信部による着信を検出する着信検出手段と、この着信検出手段によって着信を検出するまでの間、前記表示部に表示される内容を設定する設定手段と、前記表示部の第１の領域に前記設定手段によって設定された内容を表示させるとともに、第２の領域に前記撮像部にて常時取り込んだ画像を表示させる表示制御手段と、前記第２の領域に表示されている画像の前記記録部への記録を指示する指示手段と、この指示手段によって指示された画像を前記記録部へ記録させる記録手段として機能させる。したがって、前記コンピュータがこのプログラムに従って処理を実行することにより、請求項１記載の発明と同様の作用効果を奏する。
【発明の効果】
【００１２】
以上説明したように、請求項１、４、５に係る発明によれば、表示手段の第１の領域に、着信待ち受け状態にある場合における画面を表示し、第２の領域に、撮像手段により取り込まれた被写体画像を常時表示することができる。したがって、ユーザは待ち受け状態において第２の領域に常時表示されている被写体画像を見て、シャッターチャンスと意識した時点で操作のみを行えば、シャッターチャンスを逃すことなく、シャッターチャンスと意識した時点の画像を記録させることができる。しかも、表示手段には被写体画像のみならず、カレンダー等の着信待ち受け状態にある場合における画面も表示されていることから、着信待ち受け状態の画面表示による利便性を維持しつつ、シャッターチャンスを逃すことなく撮影を行うことができる。
【００１３】
また、請求項２に係る発明によれば、ユーザにおいて表示手段における第１及び第２の領域の位置及び大きさを設定変更することができ、見易い領域設定が可能となる。
【００１４】
また、請求項３に係る発明によれば、通信手段には、音声着信のみならずメール着信等も想定されるが、着信がいずれであるかに応じて画像の表示を停止させるべきか否かを判断することにより、着信後に無用となる画像の表示を回避することができる。
【発明を実施するための最良の形態】
【００１５】
以下、本発明の一実施の形態を図に従って説明する。図１は、本実施の形態に係る携帯電話１の蓋を開いた状態の正面図に相当する外観図、図２は同背面図である。この携帯電話１は、ＣＤＭＡ  ２００００  １ｘＥＶ−ＤＯ（商標）に対応する機能を備えるものであり、ＣＤＭＡ  ２００００  １ｘＥＶ−ＤＯ（商標）とは、ＣＤＭＡ方式の無線通信規格ＩＭＴ−２０００に含まれているＣＤＭＡ  ２００００  １ｘ（商標）の派生サービスであり、データ通信用に特化されたものである。
【００１６】
このＣＤＭＡ  ２００００  １ｘＥＶ−ＤＯは、ＨＤＲ（Ｈｉｇｈ  Ｄａｔａ  Ｒａｔｅ）の一種であり、音声通信に必須とされるリアルタイム応答性や高速移動時の通信の保証（ハンドオーバー、Ｒａｋｅ受信）を廃止することにより、１．２５ＭＨｚの帯域幅をすべてデータ通信向けに割り振り、下り伝送速度を最大２．４Ｍｂｐｓ、上り伝送速度を最大１５３Ｋｂｐｓにするサービスであり、この下り伝送速度を利用して、通信事業者は映像コンテンツなどの大容量のデータ配信サービスを予定している。
【００１７】
このサービスに対応させるため、本実施の形態の携帯電話１は、通常の音声通信を行うための無線通信モジュールのほかに、無線高速データ通信用の無線通信モジュールを備える。
【００１８】
図示のように、蓋部２は本体部３に対しヒンジ部１００を回転軸として開閉可能に配置されている。また、後述するが、メインスピーカ５、表示部６、サブスピーカ７を備え、データ通信用の内蔵アンテナ１６を内蔵している。表示部６は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００１９】
本体部３は、キー入力部８と、マイク１０を備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。なお、決定キー８２は、本実施の形態においてシャッターキーとして機能する。
【００２０】
また、内蔵アンテナ１６とメインアンテナ１１は、蓋部２を回動させた状態であっても、閉じた状態であっても、スペースダイバーシチ受信を行うのに有効な位置関係にあり、メインアンテナ１１は伸縮可能である。１３は報知用ＬＥＤ、１４は報知用スピーカ、１７は撮像レンズである。
【００２１】
図３は、携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００２２】
通信信号処理部１９は、待ち受け状態においても、また、データ通信モードにおいても、常に電源供給されており、通信データ処理部からのデジタル変調信号（送信音声データ、メールデータ、ネットワーク接続情報を含むパケットデータ）を、符号変調してメインアンテナ１１より出力する。また一方で、無線基地局より送信され、メインアンテナ１１により受信された無線信号より自機宛に符号変調された信号を抽出して、スイッチ回路２０１を介して通信データ処理部２０２に出力する。
【００２３】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は二つの制御部を備えており、通信処理全般及び表示部６に対する待ち受け画面表示については第１制御部２０、その他、撮影処理、画像処理、映像の再生処理、及び表示部６にてのスルー画像表示に関しては後述の第２制御部２２で行う。
【００２４】
また、本実施の形態において、第１制御部２０は、本発明における第１の表示制御手段、表示領域制御手段、検出手段、判断手段を構成するものであり、第２制御部２２は、第２の表示制御手段、記録制御手段、比較手段を構成するものである。
【００２５】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザーがネットワーク接続キー８４を操作したか、あるいは、予め設定されたスケジュールに従い、データ通信モードの開始が指示された場合は、受信信号処理部１８と通信信号処理部１９とを動作させる。
【００２６】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００２７】
システムＲＯＭ２０３は、通信制御のための制御プログラム、及び後述するフローチャートに示すように、表示部６において通信に関連する表示を行うためのプログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合は、メインアンテナ１１と内蔵アンテナ１６によるスペースダイバーシチ受信を行わせて、一時的に通信帯域幅を占有し、受信信号処理部１８、通信信号処理部１９の双方より出力される符号変調された信号をほぼ同時にＱＡＭ系方式のデジタル信号（本実施の形態においては、ＭＰＥＧ−２、−４形式で圧縮された映像コンテンツ）に復号、合成して、インターフェイス処理部２０４を介してバス２００に出力するプログラムを記憶する。  音声処理部２０５は、ＣＥＬＰ系の音声変調／復調システムと、ＭＰＥＧオーディオ系の音声復調システムとをあわせ持っている。
【００２８】
スイッチ回路２０６は、通話状態においては、音声処理部２０５から出力されるアナログ音声をメインスピーカ５から出力させるともに、ムービー再生モードにおいては、オーディオアンプ２０７を介してムービーファイルに格納されるオーディオ信号をメインスピーカ５から出力させる処理を行う。
【００２９】
第２制御部２２は、時間カウンタ２２１を有し、データ通信モードによりダウンロードしたムービーファイルや、カメラモードにおける静止画／動画の再生表示処理、及び、撮影処理全般の制御を行う。なお、本実施の形態においては、携帯電話機能による着信割り込み時において上述の第１制御部２０との並行処理が可能だが、これらの処理に伴うバス２００へのアドレス／データの割り込み処理については、インターフェイス処理部２０４が行うものとする。
【００３０】
プログラムＲＯＭ２３は、ムービー再生モード、カメラモード等の各処理プログラムを格納するとともに、特に本発明に関わる後述するフローチャートに示すプログラム、表示バッファ６２への書き込み開始／終了アドレスの制御を行う表示ドライバ６１の制御プログラムを記憶し、これらプログラムは適宜第２制御部２２にロードされる
【００３１】
ＲＡＭ２４は、データ通信処理や、音声通信において必要とされる各種データを記憶する。詳細には、図４に記載されるように、電話番号、メールアドレス、住所、固有のイメージ（画像、若しくはイラスト）を対応付けて記憶するアドレス帳記憶領域２４１、メール通信にて送受信されるメールデータを記憶するメールデータ記憶領域２４２、メールに添付された画像（静止画、動画）、及びカメラモードにて撮影された画像（静止画／動画）を圧縮処理された状態で記憶する記録手段としての画像記憶領域２４３、ネットワーク接続により受信した圧縮処理されたマルチメディアファイル（イラスト、静止画、動画（１６：９のアスペクト含）、メロディ、オーディオ）を記憶するダウンロードデータ記憶領域２４４、及び、各種ファイルの圧縮処理、伸張処理の際に一時的に使用するためのワークメモリ２４５の各領域を備える。なお、ワークメモリ２４５の一部は、後述する図８のフローチャートに示す処理において画面バッファとして使用される。
【００３２】
圧縮伸張処理部２５は、ＭＰＥＧ−２、−４に対応し、カメラモードにて撮影された静止画／動画を圧縮処理するとともに、ムービー再生モードにおけるデータ通信モードによりダウンロードしたムービーファイルや、カメラモードにおける静止画／動画を伸張処理する。
【００３３】
報知ドライバ２６は、着信処理を検出した際、これを報知せしめるために報知用ＬＥＤ１３、報知用スピーカ１４を動作させる。スイッチ処理部２７は、キー入力部８からの操作検出に伴う第１制御部２０、第２制御部２２への制御信号を出力する。また一方で、キー入力部８の操作検出のオン／オフ、機能変更のための信号を受け、これらのキー、及び、スイッチの機能を制御する。
【００３４】
なお、１７はカメラレンズであるが、その後段には、ＣＣＤ、若しくはＣＭＯＳ等のイメージセンサーからなる撮像手段としての撮像デバイス１７１と、この撮像デバイスで撮り込まれたアナログ信号をデジタル信号に変換し、イメージデータを生成するためのＤＳＰ１７２とが備えられている。
【００３５】
以上の構成に係る本実施の形態において、ユーザが十字キー８１を操作してメニュー表示を行い、決定キー８２の操作により領域決定モードを選択すると、第１制御部２０はシステムＲＯＭ２０３に格納されているプログラムに基づき、図５に示すフローチャートに従って処理を実行する。まず、現在設定画面表示処理を実行して、現在設定されている画面の区画を表示部６に表示させる（ステップＡ１０１）。
【００３６】
すなわち、本実施の形態における表示部６の画面構成は、図６（ａ）に示すように、表示部６を第１情報エリア６０１、画像表示エリア６０２、第２情報エリア６０３、第３情報エリア６０４に区画した画面である。画像表示エリア６０２におけるカメラエリア６０２１が領域決定モードにおいてユーザが変更し得る領域であり、カレンダーなどの表示エリア６０２２がカメラエリア６０２１の変更に伴って自動調整される領域である。
【００３７】
そして、ユーザがカメラエリア６０２１を変更するに際して、十字キー８１等を操作するとカメラエリアの位置選択処理（ステップＡ１０２）、及びカメラエリアの設定処理（ステップＡ１０３）が実行されて、画像表示エリア６０２における新たなカメラエリア６０２１の大きさ及び位置が決定される。次に、画像表示エリア６０２においてカメラエリア６０２１以外の他に表示すべき情報の表示エリアがあるか否かを判断する（ステップＡ１０４）。この判断において、図６（ａ）に示したように、既にカレンダーなどの表示エリア６０２２が設定されている場合には、ステップＡ１０４の判断はＹＥＳとなり、ステップＡ１０５に進む。しかし、既にカレンダーなどの表示エリア６０２２が設定されておらず、画像表示エリア６０２にカメラエリア６０２１のみを設定可能な状態であれば、ステップＡ１０８に進む。そして、ステップＡ１０２及びＡ１０３で設定した位置及びサイズで画像表示エリア６０２内にカメラエリア６０２１を設定する（ステップＡ１０８）。
【００３８】
また、既にカレンダーなどの表示エリア６０２２が設定されている場合には、今回新たに設定されたカメラエリア６０２１を画像表示エリア６０２に表示させても、画像表示エリア６０２の空いているエリアに表示エリア６０２２が収まるか否かを判断する（ステップＡ１０５）。収まる場合には（ステップＡ１０５；ＹＥＳ）、ステップＡ１０２及びＡ１０３で設定した位置及びサイズで画像表示エリア６０２内にカメラエリア６０２１を設定し、かつこれに応じて新しい画像表示エリア６０２の位置を決定する（ステップＡ１０８）。
【００３９】
したがって、図６（ａ）に示したように、画像表示エリア６０２の上部にカメラエリア６０２１が設定され、下部にカレンダーなどの表示エリア６０２２が設定されている状態で、同図（ｂ）に示すように、カメラエリア６０２１を下方に移動させる位置選択をステップＡ１０２で行った場合、カレンダーなどの表示エリア６０２２を上部に移動させても画像表示エリア６０２に収まる場合には、ステップＡ１０８の処理により、カメラエリア６０２１が下部にカレンダーなどの表示エリア６０２２が上部に移動することとなる。
【００４０】
しかし、ステップＡ１０５での判断の結果がＮＯである場合（収まらない場合）には、空いているエリアまでカレンダーなどの表示エリア６０２２を小さくできるか否か、つまりカレンダーなどの表示エリア６０２２を縮小してもその文字を判読可能であるか否かを判断する（ステップＡ１０６）。判読可能であるならば、カレンダーなどの表示エリア６０２２を縮小して、カメラエリア６０２１とともに新しい領域位置を決定する（ステップＡ１０８）。
【００４１】
しかし、ステップＡ１０６での判断の結果がＮＯである場合（縮小するとその文字を判読不可能である場合）には、設定された表示エリア６０２２を破棄して画像表示エリア６０２から消去し（ステップＡ１０７）、ステップＡ１０４からの処理を再度実行する。しがって、再度ステップＡ１０４からの処理が実行された際には、ステップＡ１０４の判断がＮＯとなって、前述と同様にステップＡ１０８において、ステップＡ１０２及びＡ１０３で設定した位置及びサイズで画像表示エリア６０２内にカメラエリア６０２１を設定されることとなる。
【００４２】
そして、以上の領域決定モードを終了して携帯電話１が着信待ち受け状態になると、第１制御部２０は、システムＲＯＭ２０３に格納されているプログラムに基づき、図７のフローチャートにおけるステップＡ２０１〜Ａ２０８の処理を実行し、第２制御部２２は、プログラムＲＯＭ２３に格納されているプログラムに基づき、ステップＢ２０１〜Ｓ２０６する。すなわち、第１制御部２０は、前述の領域設定モードにより画像表示エリア６０２にカメラエリア６０２１等が設定された待ち受け画面を表示部６に表示させる（ステップＡ２０１）。
【００４３】
したがって、前述の領域設定モードにより、画像表示エリア６０２の上部にカレンダーなどの表示エリア６０２２が設定され、下部にカメラエリア６０２１が設定されたとすると、図６（ｃ）に示すように、画像表示エリア６０２の上部の表示エリア６０２２にカレンダーが表示され、かつ下部にカメラエリア６０２１を有する待ち受け画面が表示部６に設定される。また、このステップＡ２０１での処理において、第１制御部２０は図６（ｃ）に示すように、第１情報エリア６０１に受信電波状態等を示すアイコンを表示し、第２情報エリア６０３にマナーモードの設定の有無等を表示するとともに、第３情報エリア６０４にキーアイコンを表示する。
【００４４】
他方、第２制御部２２は、撮像デバイス１７１を起動してモニタリングを開始し（ステップＢ２０１）、被写体画像をカメラエリア６０２１に画面表示する（ステップＢ２０２）。したがって、このステップＢ２０２での処理により、カメラエリア６０２１には図６（ｃ）に示したように、撮像デバイス１７１から所定のタイミング毎に取り込まれた被写体画像Ｐが表示されることとなる。
【００４５】
また、第２制御部２２は、内部クロックによる計測時間に基づき、所定の保存時間となったか否かを判断し（ステップＢ２０３）、保存時間になったならば撮像デバイス１７１を介して取り込まれた画像データを画像記憶領域２４３に保存する（ステップＢ２０５）。すなわち、本実施の形態においては、ユーザによる撮影指示がなくても所定の保存時間が予め設定されている場合には、当該保存時間毎の被写体画像を画像記憶領域２４３に保存する。したがって、画像記憶領域２４３は所定時間毎に取り込まれた画像を記録する監視カメラのデータベースの如く用いることができ、この携帯電話１を適宜監視すべき場所が撮影可能な位置に配置しておくことにより、当該携帯電話１を監視カメラとして使用することもできる。
【００４６】
また、ステップＢ２０３での判断の結果、保存時間となっていない場合には、決定キー８２の操作による撮影指示が検出されたか否かを判断する（ステップＢ２０４）。撮影指示が検出されたならば、その時点で撮像デバイス１７１を介して取り込まれた画像データを画像記憶領域２４３に保存する（ステップＢ２０５）。
【００４７】
したがって、ユーザは待ち受け状態において表示部６のカメラエリア６０２１に常時表示されている被写体画像を見て、シャッターチャンスと意識した時点で決定キー１０７の操作のみを行えば、シャッターチャンスを逃すことなく、シャッターチャンスと意識した時点の画像を保存することができる。しかも、表示部６にはカメラエリア６０２１の被写体画像のみならず、表示エリア６０２２のカレンダー、第１情報エリア６０１、第２情報エリア６０３、第３情報エリア６０４の各種情報も表示されていることから、着信待ち受け状態の画面表示による利便性を維持しつつ、シャッターチャンスを逃すことなく撮影を行うことができる。
【００４８】
一方、第１制御部２０は、前述したステップＡ２０１での処理に続いて、待ち受け処理を開始し（ステップＡ２０２）、更新情報があるか否かを判断する（ステップＡ２０３）。このとき、例えば受信電波状態が変化して第１情報エリア６０１に表示している受信電波状態を更新する必要がある場合等においては、更新情報表示処理を実行して（ステップＡ２０４）、カメラエリア６０２１以外の表示制御を行う。
【００４９】
また、第１制御部２０は、当該携帯電話１への着信割り込みの有無を監視し（ステップＡ）、この携帯電話１に着信があった場合には、モニタリング中断の必要性の有無を判断する（ステップＡ２０６）。ここで、モニタリング中断の必要性の有無とは、例えばメール着信の場合、メールはユーザが任意の時点でこれを開いて見ることができることから、モニタリング中断の必要性は無しと判断する。このように、モニタリング中断の必要性は無しと判断した場合には、着信処理（ステップＡ２０７）、及び着信終了処理（ステップＡ２０８）を行って、ステップＡ２０１に戻る。そして、ステップＡ２０１から処理が再度実行されると、メール着信があったことによりステップＡ２０３の判断がＹＥＳとなり、ステップＡ２０４での更新情報表示処理により、図６（ｃ）に示したように、メール着信アイコン６０１１が第１情報エリア６０１に表示されることとなる。
【００５０】
また、着信割り込みが音声着信であった場合には、このユーザはこの携帯電話１の上部を耳に宛う使用形態となり、表示部６を見ることができない使用形態となる。よって、この場合には、カメラエリア６０２１に被写体画像を表示させてもユーザはこれを見ることができずモニタリングは無用となることから、モニタリング中断の必要性は有りと判断する。このように、モニタリング中断の必要性が有りと判断した場合には、これに応答して第２制御部２２がモニタリングを中断させる（ステップＢ２０６）。
【００５１】
そして、第２制御部２２がモニタリングを中断させると、第１制御部２０がユーザによるオフフックキー８７に応じて着信処理を実行し（ステップＡ２０７）、また、オンフックキー８９の操作に応答して着信終了処理を実行する（ステップＡ２０８）。また、ユーザによる通話の終了に伴って、ステップＡ２０８の着信終了処理を実行すると、再びステップＡ２０１の処理が開始されることから、第２制御部２２はこれに応じてステップＡ２０１でモニタリングを開始し、これによりカメラエリア６０２１での被写体画像表示が再開されることとなる。
【００５２】
また、第２制御部２２は、予めユーザによりスリープモード設定がなされていると、前述の図７のフローチャートに示したモニタリング処理とともに、図８に示したスリープモード処理を実行する。すなわち、モニタリングを開始して（ステップＢ３０１）、ワークメモリ２４５の一部に設けられている画面バッファを初期化する（ステップＢ３０２）。さらに、撮像デバイス１７１から得られた被写体画像データに基づく、キャプチャリング画面をカメラエリア６０２１に表示し、このカメラエリア６０２１に表示した画像と、後述するステップＢ３０６でコピーされた画面バッファの画像とが同一であるか否かを判断する（ステップＢ３０４）。
【００５３】
カメラエリア６０２１に表示した画像と、画面バッファの画像とが同一でない場合には、前回カメラエリア６０２１に表示されたキャプチャリング画面と今回表示されたキャプチャリング画像とは異なる。したがって、携帯電話１の向きがユーザにより変更されたことを意味し、ユーザが携帯電話１に関与していることを意味する。よって、この場合には、今回のキャプチャリング画像データを画面バッファにコピーし（ステップＢ３０５）、スリープ状態にするまでの時間を計時する時間カウンタ２２１の計時値をクリアする（ステップＢ３０６）。
【００５４】
他方、ステップＢ３０４での判断の結果、今回カメラエリア６０２１に表示した画像と、前回画面バッファのにコピーされた画像とが同一である場合には、時間カウンタ２２１の値を更新する（ステップＢ３０７）。引き続き、この更新した時間カウンタ２２１の値が所定値に到達したか否かを判断し（ステップＢ３０８）、所定値に到達していな場合には、ステップＢ３０３からの処理を実行する。
【００５５】
そして、時間カウンタ２２１の値が所定値に到達した場合、つまり時間カウンタ２２１の値が所定値になるまでの所定時間において、同一の画像がカメラエリア６０２１表示し続けられている場合には、ユーザが携帯電話１を放置していると想定される。よって、この場合には、撮像デバイス１７１等を停止させてモニタリングをＯＦＦにしてスリープ状態にし（ステップＢ３０９）、カメラエリア６０２１に固定的なスリープ表示を行う（ステップＢ３１０）。このスリープ状態は、携帯電話１においていずれかのキーが操作されるまで継続し（ステップＢ３１１）、いずれかのキー操作が検出されたならば、ステップＢ３０１からの処理を実行する。
【００５６】
したがって、ユーザが予めスリープモードを設定しておくことにより、携帯電話１を放置している状態で無用なモニタリングが実行されることがなく、これにより、電池寿命の低下を未然に防止することができる。
【００５７】
なお、本実施の形態においては、モニタリングをＯＦＦにしてスリープ状態にするようにしがた、モニタリングをＯＦＦにするとともに、表示部６の待ち受け画面全体をＯＦＦにしたスリープ状態にしてもよく、これにより一層電池寿命の低下を未然に防止することができる。また本実施の形態においては、ＣＤＭＡ  ２００００  １ｘＥＶ−ＤＯにおけるＨＤＲ（Ｈｉｇｈ  Ｄａｔａ  Ｒａｔｅ）をベースにした無線高速データ通信について詳述したが、所謂３．５世代携帯電話サービスにおけるＨＳＤＰＡ（Ｈｉｇｈ  Ｓｐｅｅｄ  Ｄｏｗｎｌｉｎｋ  Ｐａｃｋｅｔ  Ａｃｃｅｓｓ）技術による高速データ通信であっても良い。
【図面の簡単な説明】
【００５８】
【図１】本発明の一実施の形態に係る携帯電話の蓋を開いた状態の正面図である。
【図２】同携帯電話の蓋を開いた状態の背面図である。
【図３】同携帯電話の回路構成を示すブロック図である。
【図４】ＲＡＭのメモリ構成図である。
【図５】第１制御部における領域決定モード処理の処理手順を示すフローチャートである。
【図６】（ａ）（ｂ）は表示部の表示領域を示す図、（ｃ）は表示例を示す図である。
【図７】第１制御部と第２制御部の対応する処理手順を示すフローチャートである。
【図８】第２制御部におけるスリープモード処理の処理手順を示すフローチャートである。
【符号の説明】
【００５９】
１    携帯電話（撮像機器、電子機器）
６    表示部（表示手段）
８    キー入力部
１１    メインアンテナ（無線通信部）
１７    撮像レンズ（撮像手段、撮像部）
１８    受信信号処理部（無線通信部）
１９    通信信号処理部（無線通信部）
２０    第１制御部（着信検出手段、設定手段、表示制御手段、表示領域変更手段、判断手段）
２２    第２制御部（表示制御手段）
２３    プログラムＲＯＭ
２４    ＲＡＭ（記録手段、記録部）
２５    圧縮伸張処理部
２７    スイッチ処理部（指示手段）
６１    表示ドライバ
６２    表示バッファ
８１    十字キー
８２    決定キー（指示手段）
８７    オフフックキー
８９    オンフックキー
１７１    撮像デバイス（撮像手段、撮像部）
１７２    ＤＳＰ（撮像手段、撮像部）
２０２    通信データ処理部（無線通信部）
２０３    システムＲＯＭ
２２１    時間カウンタ
２４３    画像記憶領域（記録手段、記録部）
６０１    第１情報エリア
６０２    画像表示エリア
６０３    第２情報エリア
６０４    第３情報エリア
６０１１    メール着信アイコン
６０２１    カメラエリア（第２の領域）
６０２２    表示エリア（第１の領域）
【図１】
2006041646.tif 000003
【図２】
2006041646.tif 000004
【図３】
2006041646.tif 000005
【図４】
2006041646.tif 000006
【図５】
2006041646.tif 000007
【図６】
2006041646.tif 000008
【図７】
2006041646.tif 000009
【図８】
2006041646.tif 000010